(57)【要約】交通状況が（１）車両上の相互に一定距離（１５）に準備される少なくとも２台の検知カメラ（２，３）によって記録可能である。これらの検知領域（１１，１２）は重複し、この手段によって、周辺状況の少なくとも１ヶ所の参照地点（Ｒ）および／または少なくとも１台の第２車両の認識地点による三角形（Ｔ）が、例えば、写真測量法によって形成可能である。事故の後、１台以上の車両の様子が再現可能である。三次元の一時的に繰り返される検知の方法によって、それぞれの空間上の位置とは別に、速度、速度方向、方向の変化、加速度、ならびに個別の車両の重心に関する本来的な回転も合わせた制動移動などのデータが、縮尺がかかった形で目に見えると同時に測定可能である。そして、これはすべて車両上に多数のセンサーをつけなくても可能である。車両（１）は周辺状況の３次元画像に投影も可能であるので、任意の視聴者の視点からの仮想表現が計算されて画面表示が可能である。
2007510575.tif 000002
【特許請求の範囲】
【請求項１】
車両（１）に取付けられる相互間にある距離（１５）をおいて置かれる少なくとも２台の検知カメラ（２，３）が設置される場合に、これらの手段によって２台以上の検知カメラ（２，３）によって記録される、これらの各検知領域（１１，１２）が共通重複領域（１３）で重複するかあるいは交叉するこの手段によって、周辺状況の少なくとも１ヶ所の参照地点（Ｒ）および／または少なくとも１台の第２車両（１７）の認識地点（１８，１９）が三角形（Ｔ）を形成し得ると同時に、この方法による画像記録から、事故後あるいは重大な交通状況後の少なくとも１台の車両（１，１７）の位置および／または動きが再現される目的を伴うことを特徴とする車両の走行および／または交通の状況の記録用装置。
【請求項２】
検知カメラ（２，３）が、これらの配置に関するおよび／または車両（１）に関する記録および／またはデータの記憶のために少なくともひとつの記憶装置（６，７，８，９）に接続されることを特徴とする請求項１に記載の装置。
【請求項３】
検知カメラ（２，３）の相互間の距離（１５）および／または車両（１）の座標系（２０）におけるこれらの配置が基準化修正されることを特徴とする請求項１あるいは請求項２に記載の装置。
【請求項４】
検知カメラ（２，３）の相互間の距離（１５）および／または車両（１）の座標系（２０）におけるこれらの配置が記憶装置に確保されることを特徴とする請求項３に記載の装置。
【請求項５】
検知カメラ（２，３）がこれらの画像記録が時間に関して同時に行われ得るように時間制御装置（２，３）に接続されることを特徴とする請求項１から請求項４のいずれかに記載の装置。
【請求項６】
検知カメラ（２，３）により各場合において例えば毎秒２５画像といった連続画像が記録されるように設計されることを特徴とする請求項１から請求項５のいずれかに記載の装置。
【請求項７】
検知カメラ（２，３）がそれぞれの画像記録の絶対時間の測定が可能であることを目的とした時間測定装置、例えば、ラジオクロックに接続されることを特徴とする請求項１から請求項６のいずれかに記載の装置。
【請求項８】
少なくとも１台の音声記録装置、例えばマイクロホン（４，５）が存在することを特徴とする請求項１から請求項７のいずれかに記載の装置。
【請求項９】
例えば、自動作動用あるいはデータ記憶確保用に加速度センサーといったセンサーを特徴とする請求項２から請求項８のいずれかに記載の装置。
【請求項１０】
手動作動用あるいはデータ記憶確保用の、例えば、運転ハンドル上のボタンといった作動装置を特徴とする請求項２から請求項９のいずれかに記載の装置。
【請求項１１】
循環バッファーのように少なくとも１台の不揮発性型記憶装置（６，７）ならびに循環バッファーとして利用される記憶装置（６，７）に連結される少なくとももう１台の追加の不揮発性型記憶装置（８，９）を特徴とする請求項２から請求項１０のいずれかに記載の装置。
【請求項１２】
車両（１７）上および／または交通路の領域に設置される検知カメラ（２，３）によって検知可能な認識地点（１８，１９，２３，２４，２５）を特徴とする請求項１から請求項１１のいずれかに記載の装置。
【請求項１３】
認識地点（１８，１９，２３，２４，２５）の形状と色彩が、例えば、それぞれが２ヶ所以上の認識地点（１８，１９，２３，２４，２５）の配置に関して独自の形状を有するようにコード化されることを特徴とする請求項１２に記載の装置。
【請求項１４】
認識地点（１８，１９，２３，２４，２５）が、例えば、反射といった受動的な方法で点灯されるよう設計されることを特徴とする請求項１２あるいは請求項１３に記載の装置。
【請求項１５】
認識地点（１８，１９，２３，２４，２５）が、例えば、光ダイオードの形といった受動的な方法で点灯されるよう設計されることを特徴とする請求項１２あるいは請求項１３に記載の装置。
【請求項１６】
２台以上の検知カメラ（２，３）によって記録される少なくとも１ヶ所の参照地点（Ｒ）および／または認識地点（１８，１９，２３，２４，２５）により、その位置ならびにこれによって事故後あるいは重大な交通状況後の少なくとも１台以上の車両（１，１７）の位置および／または動きが再現される目的で、三角形（Ｔ）が形成されることを特徴とする請求項１に記載の装置が利用されて作り出される走行および／または交通状況記録の評価方法。
【請求項１７】
三角形形成（Ｒ）が画像処理および／または写真測量法によって行われることを特徴とする請求項１６に記載の方法。
【請求項１８】
画像記録の連続画像シーケンスにおける参照地点あるいは参照地点群（Ｔ）および／または認識地点群（１８，１９，２３，２４，２５）の位置計算が、適切な計算法を伴ったプログラム装置、例えば、パソコンで自動的に行われることを特徴とする請求項１６あるいは請求項１７に記載の方法。
【請求項１９】
少なくとも１台の車両（１，１７）の動きが、画像記録の連続画像シーケンス、例えば、走行方向や任意の方向変化だけでなく、速度や任意の速度変化すなわち加速度あるいは制動操作も合わせた参照地点あるいは参照地点群（Ｔ）あるいは認識地点群（１８，１９，２３，２４，２５）の位置変化から計算されることを特徴とする請求項１８に記載の方法。
【請求項２０】
車両（１，１７）の位置および／または動きの計算において、この車両（１）の座標系（２０）上の検知カメラ（２，３）の位置および／または少なくとも第２車両（１７）の座標系（２１）上の認識地点（１８，１９）の位置が考慮される場合に、このデータが車両に設けられる装置の部分の記憶装置に記憶可能であることを特徴とする請求項１６から請求項１９のいずれかに記載の方法。
【請求項２１】
周辺状況（２２）の座標系（２２）が車両（１，１７）の位置および／または動きの計算に流れ移る場合に、周辺状況の画像が検知カメラ（２，３）の現存画像記録から取られるかあるいは周辺状況は後の段階で記録されるかどちらかであることを特徴とする請求項１６から請求項２０のいずれかに記載の方法。
【請求項２２】
参照地点（Ｒ）あるいは認識地点（２３，２４）が周辺状況の画像に割り当てられる場合に、いずれの場合の周辺状況にも存在する、例えば、道路の中心線上、衝突防護壁上あるいは街路柱上の反映地点の場合があり得ることを特徴とする請求項２１に記載の方法。
【請求項２３】
それぞれの車両型式が車両（１，１７）の位置および／または動きの計算に考慮され、このためにこの車両型式のデータが例えば、手動で入力可能であるかあるいは多数の車両型式のデータが入っているデータベースに落とすことが可能であることを特徴とする請求項１６から請求項２２のいずれかに記載の方法。
【請求項２４】
１台以上の車両（１，１７）の位置ならびに動きが周辺状況の画像に投影されて、事故あるいは重大な交通状況の出来事の経過の仮想表現が計算されると同時に表示されることを特徴とする請求項２１から請求項２３のいずれかに記載の方法。
【発明の詳細な説明】
【技術分野】
【０００１】
本発明は車両の走行および／または交通状況の記録装置に関する。さらに、これらの記録の評価方法にも関する。
【背景技術】
【０００２】
車両の走行状況の記録用の様々な装置が知られている。例えば、速度あるいは制動の作動がセンサーによって検知されるとともに、短期記憶装置に記録される。この方法では、後の段階で、事故以前のデータの呼び出しならびに事故の際の経過に関する再現が短時間で可能である。既知のセンサーに加えて、画像や音を記録することも同様に知られている。このために、マイクロホンとは別に、車両の前面および背後の出来事が記録されるビデオカメラが車両上に据付けられる。この点により車両自身の様子に加えて交通状況が記録されるという利点がもたらされる。特に、理想的な場合では、他の車両の様子や登録番号の記録も可能である。
【０００３】
多くの装置の設置にもかかわらず、対立の際には、しかし、事故の出来事の経過が不適切にしか再現できないのは、得られたデータにより、出来事の厳密な経過や当時の交通状況に関するその空間上や一時的な配置が信用できるようには表現されないからである。
【発明の開示】
【０００４】
この認識を基本として、車両上のわずかな装置で機能するにもかかわらず、事故前あるいは重大な交通状況の間の厳密な空間配置あるいは三次元空間における出来事が提供可能となる装置を提供することが本発明の目的である。さらに、この装置で生み出される記録が評価される方法も具体化されよう。
【０００５】
特に、すべての関係車両の厳密な三次元位置とは別に、これらの速度や加速度の大きさや方向が記録される。
【０００６】
本発明による装置は特許請求項１の特徴的な特色と合致するものである。本発明による方法は請求項１１から推定される。独立請求項から工夫に富んだアイデアがさらに有利に形成されることも明らかである。
【０００７】
本発明の一実施例が以下に図面を通してさらに詳細に説明される。
【発明を実施するための最良の形態】
【０００８】
車両１には図１および図２により図式的に示される画像記録に利用される２台の検知カメラ２および３が装備されている。この場合、デジタルカメラが好ましく、各カメラにはマイクロホン４および５が割当てられている。少なくとも１個の記憶装置がこれらの検知カメラ２および３と組み合わされている。本例の場合、不揮発性型記憶装置６あるいは７が循環バッファー装置の形で存在する。また、２台の各検知カメラ２および３には別々の記憶装置６および７が設置されている。循環バッファー装置の目的は後の段階で取上げられる。さらに、少なくとももう１台の不揮発性型記憶装置８および９が設置されるとともに、循環バッファー装置として使われる記憶装置に連結される。この追加記憶装置は最初の装置と同量のデータあるいは画像の記憶が可能である。検知カメラ２および３により例えば毎秒２５ｘの高速連続画像データが記録される。これらは相互に同期が取られる。厳密な時間での同期が取られるのが有利である。これはラジオクロック１０によって実施可能である。すなわち、これにより各画像の時間の厳密な点が確保されることになる。
【０００９】
２台の検知カメラ２および３は車両１の前面の領域が検知されるように並べられる。ここで、これらの検知範囲１１および１２は、少なくとも車両１の前面の道路１４、好ましくは、しかし、各場合ともこの道路の左手および右手の交叉通りを取り囲む重複領域１３で重複する。本図式図面は説明用に使用されるだけである。本発明に関して、検知カメラ２および３の位置も並びも固定されるものではない。その一方、２台の検知カメラ２および３の相互の距離１５は出来るだけ大きく選別されることが有利である。
【００１０】
車両上の２台の検知カメラ２および３の位置および並び、特に、その相互１５の距離１５も各場合について測定されるとともに、好ましくは記憶装置１６に同じように確保されなくてはならない。検知カメラ２および３の相互の位置および車両自体上のこれらの位置に関する知見により、１ヵ所以上の参照地点の厳密な位置が測定可能となる。これらの方法は本来既知のものである。本例の場合には、カメラ２および３のある検知例のそれぞれの場合によって同時に記録される少なくとも２画像上で可視できる参照地点ＲによりＴで指示されるように厳密に三角形が形成されることが可能であるので、これらの三次元座標、Ｘ、ＹおよびＺが座標系の中で厳密に測定可能である。
【００１１】
本発明の枠内で、２台の検知カメラ２および３台以上のカメラも設置可能である点がここで付け加えられなくてはならない。測定精度は特に３台の検知カメラが１グループとして使用されることによって尚一層の向上が可能である。ここで走行方向に機能する検知カメラと同様に、このカメラは後部にもまた追加して設置可能である。理論的には車両の両側にも可能である。
【００１２】
相互に接近する２台の車両１および１７に関する交通状況の前述の知見の実際の実施状況は図３から明白である。第１車両１の検知カメラ２および３による交通状況の検知状況が示されている。両車両１および１７にこれらが装備されていれば、この検知はその他の車両にも追加して行われると同時に修正用にも利用可能である。
【００１３】
三角形の参照地点として利用される第２車両１７上の認識地点１８および１９は、自動評価用に特別に設置されるのが好ましい。この場合は白色の円かあるいは点で良い。これらは受動的に点灯する部品としては、例えば、反射する目印、あるいは能動的に点灯する部品としては発光ダイオードといった具合に点灯するようにも設計可能である。部品は、しかしながら、例えば、赤外線によって人の目には見えないように点灯可能でもある。認識地点１８および１９は出来るだけ相互距離が大きくなるよう設置されなくてはならない。これらの認識地点１８および１９を標準化されたナンバープレートあるいはナンバープレート骨組の隅の恐らくは標準化された位置に付け加えることもまた考えられる。後者の解決策により旧式車両に関する取付けならびに改造が単純化される。
【００１４】
ここで本装置の適用は旅客車両に限られないことが特に明確に指摘される。任意の車両、たとえ２輪車にもこれが設置可能である。最終的には、コストや重量が比較的小さいので自転車に取付ける場合すら考え得る。さらに、本装置は路面電車から列車まで、レール走行車両類にもよけいな面倒なしに利用可能である。河川交通のような水上船舶にもこれが容易に設置可能である。航空機への適用も考えられる。従って、例えば温度変化の急な地域では、衝突の危険はグライダーに関してもあり得る。
【００１５】
道路車両に関して車両１および／または１７が移動した空間の面が分かっている場合である限りは、２ヶ所の認識地点１８および１９が空間の再現用に適している。この面が分からないかあるいは車両が空間を自由に移動した例えば航空機あるいは水上船舶の場合には、少なくとも３ヶ所の認識地点１８および１９が必要である。動きに関しては、空間路線ばかりでなく、例えば、軌道車両については１ヶ所の認識地点１８あるいは１９でも十分である。
【００１６】
必要数以上の認識地点の利用により測定精度は上がる。従って、道路車両について認識地点は３ヶ所でも設置可能である。これらはドローネ基準に従って、つまり、出来るだけ等辺三角形に近い形で設置されるのが好ましい。各場合においては、１ヶ所の認識地点はヘッドライトかあるいはテールランプに取付け可能である。三番目の認識地点は例えばバックミラーの前面あるいは後部窓によくある第３のブレーキランプの領域に設置可能である。
【００１７】
様々な認識地点は、異なる形状および／または色彩のいずれによるにせよ、またコード化も可能である。能動的に点灯する認識地点については、コード化は様々な閃光の頻度あるいはリズムによって行われる。これによりこれらの自動認識および画像処理による割り振りが単純となる。
【００１８】
しかしながら、当然、いずれの場合の場合も認識地点１８および１９として車両に存在する部品を利用することも可能である。これらはヘッドライトあるいはテールランプ、ナンバープレートあるいはまた刃類等のような車両設計上の部品でも良い。
【００１９】
第１車両１の座標系２０における検知カメラ２および３の位置および第２車両１７の認識地点２１の位置が分かっていてかつ記憶されている場合には、適当なプログラムによって事故前の２車両１および１７の位置および動きから計算されるとともに表示され得る。
【００２０】
空間位置の更新とは別に、三次元の一時的な繰り返し検知によって、瞬間的な速度、速度方向、方向変化、加速度および制動移動だけでなく、重心に関する個別の車両の本来の回転（スピン）も可視可能であるとともに、縮尺されて測定可能である。これによって、ブレーキ操作が始まった場合に、事故前に車両がどのように走行していたか、そして停止状態になるまでにどのくらい時間がかかったかを特別に認識可能となる。そして、これはこのために必ずしも駆動輪だけでなく制動ペダルや加速ペダル上にもセンサーを有することなくすべて実行可能である。これとは別に、点灯条件あるいは表示作動のようなものだけでなく登録番号やドライバーに関しても画像に記録される車両に関する出来事の知見が画像記録により生ずる。
【００２１】
データ記憶装置用に利用される装置の部品は衝撃に対してかつ望ましくない操作に対して安全が確保されなくてはならない。シールされた、耐衝撃性の、耐圧性の、そして耐火性の容器がこのために利用できる。この容器にはまた事故後の場所が単純化される追求にふさわしいものも設置可能である。これは例えば、送信装置、非磁気活性ダイオードあるいは閃光装置である。
【００２２】
データの評価は事故後あるいは重大な交通状況の記録後に外部の方法で実施が可能である。交通専門家がこのために必要とされるプログラムを入手可能である。評価は自動的に、半自動的あるいはまた手動でも実施可能である。いずれの場合にも説明された装置により時間が節約された自動評価も可能となる。記録データから確認可能な第３の車両の様子がこれによってチェックできる。
【００２３】
評価について、記録された関係車両型式の質量や外形の考慮もできる。これについて、また、２台以上の車両１および１７相互の座標系２０および２１、また周辺状況に関連する車両１の少なくとも１つの座標系２０の相対移動に関する前述の検知によって、車両および／または周辺の任意の選定地点の相対的な位置と移動が再現可能となる。プログラムにより、関係車両の型式を考慮に入れるために適切なデータベースが持たれるかあるいはそのようなデータベースから必要なデータが呼び出されることができる。もし、当車両型式がこの時点で未登録の場合には、これはもっと後の段階でもよけいな面倒なしに実行できる。事故場所の周辺状況が含まれるためには、プログラムは周辺状況の座標系２２も含まれるように設計されなくてはならない。
周辺状況の画像は現画像記録から取られるかあるいは少なくとも１つの周辺状況の画像はより後の段階で記録される。異なる場所ならびに視点からの少なくとも２画像が空間の再認識には必要とされる。参照あるいは認識の地点２３、２４および２５はまた周辺状況の静止画像に割り当てられなくてはならない。これによって、例えば、これが、任意の場合において存在する道路中心線上あるいは防護柵上あるいは街路柱の照明地点周囲の認識地点２３、２４および２５の場合であり得る。車両１および１７の相互位置によって周囲状況の静止座標系２２とのこれによる関係付けが可能となる。事故の出来事あるいは重大な交通状況の経過は周辺状況の画像中に投影可能であるので、外部観察者の視点からの信頼に足る仮想画像が、図３による概略表示のように計算されてかつ表示可能である。しかしながら、これによって、これは静止画像の場合だけでなく連続画像すなわち、事故そのものに至るまでの事故以前の時点からの出来事の動画の場合もある。観察者の観点はホログラムのように限りなく変動し得る。個別の各地点の厳密な位置や動きは必要に応じて呼び出され得る。対立の場合にはこれらすべてにより、罪科の説明や質問が相当単純となる。
【００２４】
第２車両１７の関与がない場合には事故の出来事の経過が記録から再現可能である点もはっきりと理解される。
【００２５】
１車両１の様子はいずれも場合にも周辺状況の参照地点Ｒあるいは認識地点２３、２４および２５に関連して計算が可能である。
【００２６】
例えば、恐らく第三者にかかわる影響に至る事故に近い重大な交通状況に関する情報は、循環バッファーが停止しないよう設計される記憶装置６および７の記憶が常時オーバーライトされるので、記憶装置８および９に記憶できる。画像および音声情報は、必要な場合には、中でも関係車両の登録ナンバーの判定のために評価可能である。
【００２７】
前述の中間記憶は電気的に、あるいは、ドライバーによる手動、例えば、運転ハンドル上のボタンによるかのどちらかで作動される。電気的作動は、変わらない状態が続く画像情報によって検知可能である車１の停止によって、あるいはまた点火装置の停止によっても、あるいは数秒間の加速ペダルの不作動によって、行われ得る。しかしながら、その他の任意の検知可能な信号もまた考えられ得る。
【００２８】
基準化修正手段もまた、恐らくは既存装置用のプログラムとしてだけ車両外部に付属品として存在し得る。第１基準化修正手段は、場合としてあり得る車両１７の座標系２１の追加地点と合わせて認識地点１８および１９の位置の検知ならびに計算用に利用可能である。これに関しては多くは２台の静止検知カメラが必要とされる。さらに、車両１上に組立てられる検知カメラ２および３の検知位置は、写真測量法の認識地点の静止設定を通じてこの車両１の座標系２０の計算が可能である。
【００２９】
車両の走行および／または交通状況の記録用の本発明による装置は、比較的廉価である。例えばウェブカメラに使用されるようなデジタルカメラが今日、低価格で入手可能である。これはまた記憶装置として利用されるマイクロチップの場合にもあてはまる。評価は、本当に外部で行われると同時にこれにより車両上に何らの費用も生じない。事故に関しては車両についての材料損傷がひどいと同時に大抵は負傷者に引き続き多くの費用が生ずる場合がしばしばであるので、信頼できる証拠は極めて大きな利点となる。これにより正しくふるまう交通関係者が不公正な令状と損害賠償請求から保護される。
【００３０】
本装置類は本発明の枠内で前述のことに対して様々に設計が可能である。なかでも、順序をコントロールする制御方法があり得る。
【図面の簡単な説明】
【００３１】
【図１】車両の平面図が示される。
【図２】車両に取付けられるとともにデータを得るために役立つ装置の部分が図式的に示される。
【図３】２台の車両についての交通状況の図が示される。
【図１】
2007510575.tif 000003
【図２】
2007510575.tif 000004
【図３】
2007510575.tif 000005
【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
それぞれの検知領域（１１，１２）が共通重複領域（１３）で重複する、車両（１）上に相互間に距離をおいて設置される少なくとも２台の検知カメラ（２，３）が利用されて、検知カメラが利用されるとともに一時的に同期がとられかつ空間的に基準化修正される方法で、少なくとも１ヶ所の人為的に取付けられるかあるいは自然に存在する周辺状況および／または少なくとも１台の第２車両（１８，１９）の参照地点（２３，２４，２５）により三角形が形成されるすなわちその空間上の位置が検知されるとともに、事後に、装備車両（１）の一時的かつ空間上の場所ならびに位置（２０）および／または相互に関係するおよび／または静止周辺状況（２２）の場所ならびに位置に関係する少なくとも１台の追加車両（１７）の場所ならびに位置（２１）が完全にあるいは部分的に測定されることを特徴とする走行および／または交通状況の評価方法
【請求項２】
たとえばＣＡＤデータベースから対象物が検知カメラ（２，３）の空間上の場所と位置および／または少なくとも１ヶ所の人為的あるいは自然に目印となる参照地点（１８，１９）とリンクが取られ、これらの対象物（１，１７）の少なくともひとつの位置および／または動きが画像記録から再現されることを特徴とする請求項１による方法
【請求項３】
三角形形成（Ｔ）が画像処理および／または写真測量法によって行われる場合に、画像記録の２次元画像シーケンスのペアにおいて、１ヶ所以上の三次元参照地点（１８，１９，２３，２４，２５）のペア画像の位置ならびに割り付けの計算ならびにこれらの後続する三次元空間への加工が適切な計算方式が伴われるプログラム可能な計算機の中で半自動的にあるいは自動的に行われる場合に、少なくとも周辺状況におよび／または少なくとも１台の追加車両（１７）に関係する装備車両（１）の動き、具体的には、位置、走行方向および任意の方向変化だけでなく速度および任意の速度変化すなわち、加速度および／または減速操作も、さらには角速度および任意の角速度変化も合わせて計算されることによって、任意の観察者の視点から事故および／または重大な交通状況後の出来事の経過の仮想表現が計算されると同時に表示可能であることを特徴とする請求項１あるいは請求項２による方法
【請求項４】
必要な場合には事故に関連する周辺状況あるいはこれらの部分領域の後続する記録画像が利用されて、周辺状況あるいはこれらの部分領域の仮想三次元モデルが現存の静止周辺状況座標系（２２）に適用され、この手段によってこの仮想三次元周辺状況モデルが、縮尺がかけられた座標系（２２）に関する１台以上の車両（１，１７）の空間上の一時的な場所と位置に重ねられること特徴とする請求項１から請求項３までの１項による方法
【請求項５】
相互に距離（１５）をおいて設置される２台の検知カメラ（２，３）から構成され、そのそれぞれの検知領域（１１，１２）が共通の重複領域（１３）と重複する、車両座標系のこれらの空間上の場所および位置にある検知カメラ（２，３）が写真測量法によって基準化修正されるとともに一時的に同期がとられる場合に、これらの個別の基準化修正データが連結された記憶チップ上に記憶され、この手段によって周辺状況（２３，２４，２５）および／または少なくとも１台の第２車両（１８，１９）の、これらの検知カメラ（２，３）によって記録されると同時に人為的に取付けられるかあるいは自然に存在する少なくとも１ヶ所の参照地点により三角形が形成されることが可能であり、この手段によってこれらの人為的あるいは自然の目印となる参照地点の一時的かつ空間上の三次元位置が測定可能であると同時に、これらがＣＡＤの車両データベースから選別されて対象物データにリンク可能であって、静止周辺状況座標系（２０）に関するおよび／または車両（１７）の少なくとも１つの追加座標系（２１）に関するこの車両（１）の座標系（２０）の場所ならびに位置および／または動きのデータが連続した画像記録データから再現可能であることを特徴とする請求項１から請求項４までの１項以上による車両の走行および／または交通状況の記録用装置
【請求項６】
画像シーケンスの連続記憶のために、例えば、循環バッファーの形で検知カメラ（２，３）に連結される少なくとも１台の記憶装置（６，７）ならびに装備車両（１）の座標系（２０）の写真測量法の基準化修正データおよび／または空間上のカメラ配置のデータ記憶のために少なくとももう１台の不揮発性記憶装置（８，９）が含まれることを特徴とする請求項５による装置
【請求項７】
検知カメラ（２，３）が測定可能なそれぞれの画像記録データの絶対時間が表示される目的で時間測定装置、例えばラジオクロックに接続されることを特徴とする請求項５あるいは請求項６による装置
【請求項８】
音声の画像同時記録のために少なくとも１台の音声記録装置、例えばマイクロホン（４，５）が存在することを特徴とする請求項５から請求項７までの１項による装置
【請求項９】
自動的な作動あるいはデータ記憶の確保のためのセンサー、あるいは作動装置、例えば、手動の作動用あるいはデータ記憶確保のための運転ハンドル上のボタンが含まれることを特徴とする請求項５から請求項８までの１項による装置
【請求項１０】
方法を支援するために、人為的に取付けられる参照地点（１８，１９，２３，２４，２５）が車両（１，１７）上および／または交通路の領域に設置される場合に、自動認識力の向上を目的としたこれらの人為的参照地点（１８，１９，２３，２４，２５）の形状および／または色彩がコード化される、および／または、受動的あるいは能動的方法で点灯されるよう設計されることを特徴とする請求項５から請求項９までの１項による方法
【国際調査報告】
2007510575.tif 000006
2007510575.tif 000007
2007510575.tif 000008
2007510575.tif 000009
2007510575.tif 000010
2007510575.tif 000011